(57)【要約】【解決手段】柄１の止め構造Ｍにおいては、頭部材７（指当部材９及びスペーサ１０）と本体部材８とからなる把持部材４の有底止め孔１１に挿入された止め軸５の雄ねじ部６と、この有底止め孔１１内のねじ部材１７の雌ねじ部１９とが互いに螺合されているので、柄１の止め構造Ｍが把持部材４の尻部８ａと関連なく設けられ、把持部材４が有底止め孔１１の底部１５ｂと尻部８ａとの間で一体に成形されて把持部材４の尻部８ａから止め構造Ｍにおける部品の露出をなくすことができる。【効果】柄１の見映えを良くするばかりでなく、従来技術の柄と比較して蓋等の部品点数を減らすことができる。【選択図】図２
2010115721.tif 000002
【特許請求の範囲】
【請求項１】
機能部の基端部に口部を設け、機能部の基端部から止め軸を延設するとともに、この口部から突出する止め軸にねじ部を設け、頭部と尻部とを有する把持部材にあって、その頭部側には開口からその尻部側へ底部まで延びる有底止め孔を形成してその有底止め孔にねじ部材を埋め込み、この有底止め孔に挿入した止め軸のねじ部とこの有底止め孔内のねじ部材とを互いに螺合してこの口部にこの把持部材の頭部を当接させたことを特徴とする手動利器の柄。
【請求項２】
前記把持部材を有底止め孔の底部と尻部との間で一体に成形したことを特徴とする請求項１に記載の手動利器の柄。
【請求項３】
前記止め軸のねじ部は雄ねじ部であり、前記有底止め孔内のねじ部材にはこの止め軸の雄ねじ部が螺合される雌ねじ部を設けたことを特徴とする請求項１または請求項２に記載の手動利器の柄。
【請求項４】
前記有底止め孔内のねじ部材にはその有底止め孔に螺合される雄ねじ部を設けたことを特徴とする請求項３に記載の手動利器の柄。
【請求項５】
前記把持部材は、口部に当接する頭部を有する頭部材と、この頭部材を口部との間で挟持して頭部材に当接する本体部材とに分離され、
前記有底止め孔は、この頭部材に設けられて頭部の開口を有する貫通孔と、尻部を有する本体部材に設けられてこの頭部材の貫通孔に連通する埋込孔とからなり、底部を有する埋込孔にねじ部材が埋め込まれ、
前記止め軸はこの頭部材の貫通孔と本体部材の埋込孔とに挿入され、この止め軸の雄ねじ部はこの埋込孔内のねじ部材の雌ねじ部に螺合されている
ことを特徴とする請求項３または請求項４に記載の手動利器の柄。
【請求項６】
前記把持部材において頭部材は、口部に当接する頭部を有する指当部材と、この指当部材と本体部材との間で挟持されるスペーサとに分離され、この指当部材に前記貫通孔が設けられていることを特徴とする請求項５に記載の手動利器の柄。
【請求項７】
前記指当部材は前記止め軸の雄ねじ部に螺合された雌ねじ部材により口部に対し締め付けられ、この雌ねじ部材も前記本体部材の埋込孔内に挿入されていることを特徴とする請求項６に記載の手動利器の柄。 
【発明の詳細な説明】
【技術分野】
【０００１】
本発明は、包丁及びナイフなどの刃物や刃物以外の各種道具を含む手動利器において、その柄の構造の改良に関するものである。
【背景技術】
【０００２】
従来、下記特許文献１にかかる柄部では、口金に螺着された連結ロッドの外周に柄部本体が嵌め込まれ、この柄部本体の尻側でこの連結ロッドに螺合されたナットにより、この柄部本体が口金に対し締め付けられ、この柄部本体の尻側が尻金（蓋）により閉塞されている。
【特許文献１】特開２００５−１５３０６５号公報
【発明の開示】
【発明が解決しようとする課題】
【０００３】
上記特許文献１では、柄部本体の尻側で連結ロッド及びナットが露出するため、柄部本体の尻側を尻金（蓋）により閉塞し、連結ロッド及びナットが見えないようにして柄部の見映えを良くする必要があり、その尻金（蓋）等の部品点数が増える問題があった。
【０００４】
この発明は、手動利器の柄において把持部材の止め構造を改良して柄の見映えを良くするとともに把持部材の尻部で蓋等の部品点数を減らすことを目的としている。
【課題を解決するための手段】
【０００５】
後記実施形態の図面（図１〜２）の符号を援用して本発明を説明する。
請求項１の発明にかかる手動利器の柄は下記のように構成されている。
機能部２の基端部２ａに口部３を設けている。機能部２の基端部２ａから止め軸５を延設するとともに、この口部３から突出する止め軸５にねじ部６を設けている。頭部９ａと尻部８ａとを有する把持部材４にあって、その頭部９ａ側には開口１２ａからその尻部８ａ側へ底部１５ｂまで延びる有底止め孔１１を形成してその有底止め孔１１にねじ部材１７を埋め込んでいる。この有底止め孔１１に挿入した止め軸５のねじ部６とこの有底止め孔１１内のねじ部材１７とを互いに螺合してこの口部３にこの把持部材４の頭部９ａを当接させている。
【０００６】
請求項１の発明では、把持部材４の有底止め孔１１に挿入した止め軸５のねじ部６とこの有底止め孔１１内のねじ部材１７とを互いに螺合した止め構造Ｍを、把持部材４の尻部８ａと関連なく設けることができるので、把持部材４の尻部８ａから上記止め構造Ｍにおける部品の露出をなくして柄１の見映えを良くするばかりでなく、その尻部に蓋をする必要のある従来技術の柄と比較して蓋等の部品点数を減らすことができる。
【０００７】
請求項１の発明を前提とする請求項２の発明においては、把持部材４を有底止め孔１１の底部１５ｂと尻部８ａとの間で一体に成形している。請求項２の発明では、有底止め孔１１の底部１５ｂと尻部８ａとの間で把持部材４内に上記止め構造Ｍにおける部品を設けていないので、柄１の見映えを良くするとともに、蓋等の部品点数を減らすことができる。
【０００８】
請求項１または請求項２の発明を前提とする請求項３の発明において、前記止め軸５のねじ部は雄ねじ部６であり、前記有底止め孔１１内のねじ部材１７にはこの止め軸５の雄ねじ部６が螺合される雌ねじ部１９を設けている。請求項３の発明では、上記止め構造Ｍにおける雌雄ねじ構造を簡単にすることができる。
【０００９】
請求項３の発明を前提とする請求項４の発明において、前記有底止め孔１１内のねじ部材１７にはその有底止め孔１１に螺合される雄ねじ部１８を設けている。請求項４の発明では、有底止め孔１１に対するねじ部材１７の回り止めを簡単な構造で容易に行うことができる。
【００１０】
請求項３または請求項４の発明を前提とする請求項５の発明は下記のように構成されている。
前記把持部材４は、口部３に当接する頭部９ａを有する頭部材７と、この頭部材７を口部３との間で挟持して頭部材７に当接する本体部材８とに分離されている。前記有底止め孔１１は、この頭部材７に設けられて頭部９ａの開口１２ａを有する貫通孔１２と、尻部８ａを有する本体部材８に設けられてこの頭部材７の貫通孔１２に連通する埋込孔１５とからなる。底部１５ｂを有する埋込孔１５にねじ部材１７が埋め込まれている。前記止め軸５はこの頭部材７の貫通孔１２と本体部材８の埋込孔１５とに挿入されている。この止め軸５の雄ねじ部６はこの埋込孔１５内のねじ部材１７の雌ねじ部１９に螺合されている。請求項５の発明では、前記把持部材４が本体部材８のほかに頭部材７を有しているので、本体部材８と頭部材７との間で材質や色などを互いに変更して把持部材４の感触や見映えに変化を持たせることができる。
【００１１】
請求項５の発明を前提とする請求項６の発明にかかる把持部材４において、頭部材７は、口部３に当接する頭部９ａを有する指当部材９と、この指当部材９と本体部材８との間で挟持されるスペーサ１０とに分離され、この指当部材９に前記貫通孔１２が設けられている。請求項６の発明では、指当部材９に対する本体部材８の回動停止位置をスペーサ１０により容易に調節することができる。
【００１２】
請求項６の発明を前提とする請求項７の発明において、前記指当部材９は前記止め軸５の雄ねじ部６に螺合された雌ねじ部材１４により口部３に対し締め付けられ、この雌ねじ部材１４も前記本体部材８の埋込孔１５内に挿入されている。請求項７の発明では、指当部材９を口部３に対し容易に位置決めすることができる。
【発明の効果】
【００１３】
本発明は、手動利器の柄１において、把持部材４の止め構造Ｍを改良して柄１の見映えを良くするとともに、把持部材４の尻部８ａで蓋等の部品点数を減らすことができる。
【発明を実施するための最良の形態】
【００１４】
以下、本発明の一実施形態にかかる手動利器について図１〜２を参照して説明する。
手動利器である刃物としての包丁の柄１においては、機能部としての刃体２の基端部２ａに対しその左右両側から重合された左右一対の分割片３ａが一対のピン３ｂにより止着されて口部としての口金３が刃体２の基端部２ａに取り付けられ、この口金３に隣接して把持部材４が下記の止め構造Ｍにより取り付けられている。
【００１５】
刃体２の基端部２ａから止め軸５が延設され、この口金３から突出する止め軸５に雄ねじ部６が形成されている。把持部材４は頭部材７と本体部材８とに分離され、さらに頭部材７は指当部材９とスペーサ１０とに分離されている。
【００１６】
前記指当部材９においては、頭部９ａに形成された開口１２ａから貫通孔１２が有底止め孔１１の一部として延設され、この開口１２ａに対する反対側端部９ｂで貫通孔１２の外周に座金１３が嵌め込まれ、この貫通孔１２に前記止め軸５が挿通されて頭部９ａが口金３に当接されているとともに、この止め軸５の雄ねじ部６がこの指当部材９の貫通孔１２及び座金１３から突出している。その雄ねじ部６に螺合された雌ねじ部材としてのナット１４がこの指当部材９の座金１３に当接されて口金３に対し指当部材９が締め付けられている。前記スペーサ１０はこのナット１４の外周に嵌め込まれて指当部材９の端部９ｂに当接されている。
【００１７】
前記本体部材８においては、尻部８ａに対する反対側端部８ｂに形成された座ぐり穴１５ａから埋込孔１５が底部１５ｂまで有底止め孔１１の一部として延設され、その底部１５ｂと尻部８ａとの間で本体部材８が一体に成形され、その埋込孔１５内に雌ねじ部１６が形成されている。筒状のねじ部材１７においてはその外周に雄ねじ部１８が形成されているとともにその内周に雌ねじ部１９が形成され、その雄ねじ部１８が埋込孔１５内の雌ねじ部１６に螺合されてこのねじ部材１７が埋込孔１５に埋め込まれている。前記止め軸５の雄ねじ部６がこの埋込孔１５に挿入されてねじ部材１７の雌ねじ部１９に螺合され、本体部材８の端部８ｂが前記スペーサ１０に当接して口金３との間で指当部材９及びスペーサ１０を挟持するとともに指当部材９との間でスペーサ１０を挟持し、前記指当部材９の貫通孔１２と本体部材８の埋込孔１５とが互いに連通して前記止め軸５が挿入される有底止め孔１１が形成され、その埋込孔１５の座ぐり穴１５ａに前記ナット１４が嵌め込まれる。
【００１８】
図１（ｂ）及び図２（ｃ）に示す別例では、前記埋込孔１５において雌ねじ部１６が省略されているとともに、前記ねじ部材１７において雄ねじ部１８の代わりにローレット状の筋が形成され、この埋込孔１５に挿入されたねじ部材１７が埋込孔１５に対し接着剤により接着されて回り止めされている。
【００１９】
本実施形態は下記の効果を有する。
＊  柄１の止め構造Ｍにおいては、頭部材７（指当部材９及びスペーサ１０）と本体部材８とからなる把持部材４の有底止め孔１１に挿入された止め軸５の雄ねじ部６と、この有底止め孔１１内のねじ部材１７の雌ねじ部１９とが互いに螺合されているので、柄１の止め構造Ｍが把持部材４の尻部８ａと関連なく設けられ、把持部材４が有底止め孔１１の底部１５ｂと尻部８ａとの間で一体に成形されて把持部材４の尻部８ａから止め構造Ｍにおける部品の露出をなくすことができる。従って、柄１の見映えを良くするばかりでなく、従来技術の柄と比較して蓋等の部品点数を減らすことができる。
【００２０】
＊  把持部材４の感触や見映えに変化を持たせるために、把持部材４を指当部材９と本体部材８とに分離した場合でも、指当部材９に対する本体部材８の回動停止位置をスペーサ１０により容易に調節することができる。
【００２１】
前記実施形態以外にも例えば下記のように構成してもよい。
・  口部としての口金３を分割片３ａによりに分割することなく筒状に形成して刃体２の基端部２ａに取り付けたり、口部としての口金３を刃体２の基端部２ａと一体に形成したりしてもよい。
【００２２】
・  止め軸５の雄ねじ部６を雌ねじ部に変更するとともに、ねじ部材１７の雌ねじ部１９を雄ねじ部に変更して、それらを互いに螺合させてもよい。
・  把持部材４において頭部材７（指当部材９及びスペーサ１０）と本体部材８とを一体化してもよい。
【図面の簡単な説明】
【００２３】
【図１】（ａ）は本実施形態にかかる手動利器としての包丁においてその柄を分解して示す斜視図であり、（ｂ）はその柄の一部品の別例を示す斜視図である。
【図２】（ａ）は図１（ａ）の柄を組み付けて示す斜視図であり、（ｂ）は（ａ）の柄を正面側から見た断面図であり、（ｃ）は図１（ｂ）の別例部品を利用した部分断面図である。
【符号の説明】
【００２４】
Ｍ…柄の止め構造、１…柄、２…機能部としての刃体、２ａ…刃体の基端部、３…口部としての口金、４…把持部材、５…止め軸、６…止め軸の雄ねじ部、７…把持部材の頭部材、８…把持部材の本体部材、８ａ…本体部材の尻部、９…頭部材の指当部材、９ａ…指当部材の頭部、１０…頭部材のスペーサ、１１…把持部材の有底止め孔、１２…指当部材の貫通孔、１２ａ…貫通孔の開口、１４…雌ねじ部材としてのナット、１５…本体部材の埋込孔、１５ｂ…埋込孔の底部、１７…ねじ部材、１８…ねじ部材の雄ねじ部、１９…ねじ部材の雌ねじ部。 
【図１】
2010115721.tif 000003
【図２】
2010115721.tif 000004